(57)【要約】【課題】見た目に新しく遊技者へのインパクトは維持しつつ、遊技店側において釘調整を行い易いパチンコ遊技機用入賞装置およびパチンコ遊技機を提供する。【解決手段】上側開放扉７２の閉鎖状態にあるときの前面に位置し、中央に開口部７５を有する方形枠状の可動枠７６が、上側開放扉７２または下側開放扉８２が開放したときにあわせて回動するように設けられている。上側開放扉７２の開放したときに開口部７３に玉の入賞が可能となるとともに、下側開放扉８２が開放したときに開口部８３への横方向からの玉の入賞が下側開放扉８２の側壁部８５ａ,８５ｂによって阻止され、可動枠７６の開口部７５を通過した縦方向に流れる玉の下側入賞口への入賞が可能となる。【選択図】図５
2006325764.tif 000002
【特許請求の範囲】
【請求項１】
閉鎖状態と開放状態とを呈し、その開放状態のときに玉の入賞が可能な上側入賞口を形成する上側開放扉が設けられた第１可変入賞口と、
この上側開放扉の下側に位置し、閉鎖状態と開放状態とを呈し、その開放状態のときに玉の入賞が可能な下側入賞口を形成する下側開放扉が設けられた第２可変入賞口とを備え、
所定の開放条件が成立したとき、前記上側開放扉と前記下側開放扉のいずれかが開放されるよう構成され、
前記上側開放扉の開放状態に相当する位置に、前記下側開放扉が開放状態のときに、遊技盤上を落下する玉の通過を可能とする玉通過口を形成する補助部材が設けられ、その補助部材の玉通過口を通過した玉が前記下側入賞口に入賞可能であることを特徴とするパチンコ遊技機用入賞装置。
【請求項２】
前記上側開放扉が下部を軸にして回動可能に設けられるとともに、前記下側開放扉が下部を軸にして回動可能に設けられ、
前記補助部材が、前記上側開放扉と前記下側開放扉のいずれも閉鎖状態のときは前記上側開放扉の前面に位置し、前記上側開放扉または前記下側開放扉が開放したときはその開放動作に連動して前記上側開放扉の開放状態に相当する位置まで回動するように設けられた請求項１に記載のパチンコ遊技機用入賞装置。
【請求項３】
前記下側開放扉が開放したときに、前記下側入賞口への遊技盤上の横方向からの玉の入賞を阻止する阻止部材が設けられている請求項１または２に記載のパチンコ遊技機用入賞装置。
【請求項４】
前記阻止部材として、前記下側開放扉の両側に側壁部が形成されている請求項３に記載のパチンコ遊技機用入賞装置。
【請求項５】
前記下側開放扉の開放動作に連動して前記補助部材を回動するように、前記補助部材と前記下側開放扉とを連結する連結部材を備える請求項２ないし４のいずれか１項に記載のパチンコ遊技機用入賞装置。
【請求項６】
請求項１ないし５のいずれか１項に記載のパチンコ遊技機用入賞装置を備えたパチンコ遊技機。
【発明の詳細な説明】
【技術分野】
【０００１】
本発明は、パチンコ遊技機用入賞装置およびパチンコ遊技機に関する。
【背景技術】
【０００２】
従来のパチンコ遊技機として、例えば特許文献１に示すように、大当たり条件が成立したときに開放状態となる大入賞口（アタッカー）を縦に２つ並べた遊技機が開示されている。また、例えば特許文献２に示すように、大入賞口を横に２つ並べた遊技機が開示されている。これらの遊技機は、大入賞口が１つしか設けられていない遊技機に比べると、見た目のインパクトがあり、遊技状態に応じて開放する大入賞口を使い分ける場合に、遊技者から見て分かり易いものになっている。
【０００３】
【特許文献１】特開２００３−２０５１０４号公報
【特許文献２】特開２００５−６７５６号公報
【発明の開示】
【発明が解決しようとする課題】
【０００４】
しかしながら、これらの遊技機を管理し釘調整などを行う遊技店側から見ると、大入賞口の設定領域が縦や横にかなり広くなっているため、それぞれの大入賞口への打ち込まれた玉の寄り具合を調整するための釘調整を行うとき、かなり広い範囲の釘を調整する必要があり、当然調整する釘の数も増え、非常に管理しにくいものであった。また、一方の大入賞口に対する釘調整を行うと、もう一方の大入賞口への玉の寄り具合に影響を与えてしまい、非常に調整しづらいものとなっていた。
【０００５】
本発明は上記した背景をもとになされたもので、見た目に新しく遊技者へのインパクトは維持しつつ、遊技店側において釘調整を行い易いパチンコ遊技機用入賞装置およびパチンコ遊技機を提供することを課題とする。
【課題を解決するための手段及び発明の効果】
【０００６】
上記課題を解決するために本発明のパチンコ遊技機用入賞装置は、閉鎖状態と開放状態とを呈し、その開放状態のときに玉の入賞が可能な上側入賞口を形成する上側開放扉が設けられた第１可変入賞口と、
この上側開放扉の下側に位置し、閉鎖状態と開放状態とを呈し、その開放状態のときに玉の入賞が可能な下側入賞口を形成する下側開放扉が設けられた第２可変入賞口とを備え、
所定の開放条件が成立したとき、上側開放扉と下側開放扉のいずれかが開放されるよう構成され、
上側開放扉の開放状態に相当する位置に、下側開放扉が開放状態のときに、遊技盤上を落下する玉の通過を可能とする玉通過口を形成する補助部材が設けられ、その補助部材の玉通過口を通過した玉が下側入賞口に入賞可能であることを特徴とする。
【０００７】
上記本発明のパチンコ遊技機用入賞装置は、複数の可変入賞口を遊技盤面上に縦に配列し、上方の可変入賞口（第１可変入賞口）として閉鎖状態と開放状態とを呈しその開放状態のときに玉の入賞が可能な上側入賞口を形成する上側開放扉を設けるとともに、この上側開放扉の下側に位置し、下方の可変入賞口（第２可変入賞口）として閉鎖状態と開放状態とを呈しその開放状態のときに玉の入賞が可能な下側入賞口を形成する下側開放扉を設けている。そして、上側開放扉の開放状態に相当する位置に、下側開放扉が開放したときに、遊技盤上を落下する玉の通過を可能とする玉通過口を形成する補助部材を設け、その補助部材の玉通過口を通過した玉が下側入賞口に入賞可能としており、上方の可変入賞口に入賞可能な遊技盤上の所定範囲を流下する玉が下方の可変入賞口に入賞可能となることから、釘による各可変入賞口への玉の寄り具合は一致することになり、遊技店側において釘調整が非常に容易となる。このように所定の開放条件（例えば大当たり条件）の成立によりこれら可変入賞口のいずれか１つを開放するようにでき、例えば大入賞口をこのように上下２段で構成することにより、従来の市場の多くを占めている大入賞口が１つの遊技機の釘調整と比べても違和感がなく作業が可能である。
【０００８】
その際、上側開放扉を下部を軸にして回動可能に設けるとともに、下側開放扉を下部を軸にして回動可能に設けることができる。そして、補助部材は、上側開放扉が閉鎖状態にあるときの前面に位置して、上側開放扉または下側開放扉が開放したときはその開放動作に連動して起立状態から横向き状態に回動するように設け、下側開放扉が開放されたときに、その補助部材を上側開放扉の前面の起立位置から上側開放扉の開放状態に相当する位置まで回動させ、遊技盤上を落下しその補助部材の玉通過口を通過した玉が下側入賞口に入賞可能としており、上方の可変入賞口に入賞可能な遊技盤上の所定範囲（例えば上側開放扉面の範囲、言い換えれば下側開放扉開放時の補助部材の玉通過口）を流下する玉が下方の可変入賞口に入賞可能となることから、釘による上下各可変入賞口への玉の寄り具合は一致して、釘調整が非常に容易である。なお、下側開放扉の開放動作に連動して補助部材が回動するように補助部材と下側開放扉とを連結する連結部材を備えることができる。
【０００９】
また、その際、下側開放扉が開放したときに、下側入賞口への遊技盤上の横方向からの玉の入賞を阻止する阻止部材が設けられ、補助部材の玉通過口を通過して縦方向に流れる玉の下側入賞口への入賞を許容するようにできる。これにより、例えば大入賞口をこのように構成することにより、上方の大入賞口に入賞可能な遊技盤上の所定範囲（例えば補助部材の玉通過口）を流下する玉だけが下方の大入賞口への入賞が許容され、大入賞口が２つあるにも関わらず、釘による上下各大入賞口への玉の寄り具合を一致させることができ、釘調整が非常に行い易いパチンコ遊技機用入賞装置を提供できる。
【００１０】
さらに、その際、阻止部材として、下側開放扉の両側に側壁部を形成し、下側開放扉が開放したときにその側壁部が遊技盤上に位置しその側壁部によって横方向からの下側入賞口への入賞を阻止するとともに、補助部材の玉通過口を通過して縦方向に流れる玉の下側入賞口への入賞を許容するようにできる。このように下側開放扉に側壁部を設けて、下側入賞口へは横方向からの玉の入賞を阻止し、縦方向に流れる玉の入賞のみを許容するようにしており、上方の可変入賞口に入賞可能な遊技盤上の所定範囲（例えば補助部材の玉通過口）を流下する玉だけが下方の可変入賞口への入賞が許容され、釘による上下各可変入賞口への玉の寄り具合を一致させることができるため、釘調整が非常に容易である。また、下側開放扉に設けた側壁部により阻止部材を構成しており、下側開放扉の開放時にのみ遊技盤上に出現するようにでき、遊技盤上のレイアウトもスッキリできる。これにより、例えば複数の大入賞口をこのように縦に２段に構成することにより、遊技者へのインパクトを維持しつつ、遊技盤上に複数の大入賞口をより狭い範囲で設けることが可能となり、遊技盤面を有効に利用することができ、かつ遊技店側において釘調整作業が非常に容易なパチンコ遊技機用入賞装置を提供できる。
【００１１】
その際、補助部材は、枠形態における内側空間が玉通過口とされた可動枠とすることができる。これにより、上記効果を有する補助部材を内側空間が玉通過口をなす貫通した開口部を有する枠形態の可動枠として構成することができる。
【００１２】
その際、上記記載のパチンコ遊技機用入賞装置をパチンコ遊技機に備えることができる。このように、例えば上記効果を有するパチンコ遊技機用入賞装置を備えたパチンコ遊技機を構成することにより、遊技者へのインパクトを維持しつつ、遊技盤上に複数の大入賞口をより狭い範囲で設けることが可能となり、遊技盤面を有効に利用することができ、かつ遊技店側において釘調整作業が非常に容易なパチンコ遊技機を提供できる。
【発明を実施するための最良の形態】
【００１３】
（実施例）
以下、本発明のパチンコ遊技機の実施の形態について、図面を参照して説明する。図１はパチンコ遊技機１の正面模式図である。パチンコ遊技機１は、台枠に取り付けられた透明ガラス扉２と、台枠の内側に配置されてガラス扉２によって覆われる遊技盤３を有する。遊技盤３は、円状に遊技領域が形成されている。遊技盤３の下方には、玉供給皿４が設けられている。玉供給皿４に準備された玉は、ハンドル５を含んで構成される玉発射機構によって遊技盤３に向けて発射される。遊技盤３に達した玉は、その遊技盤３の面上を落下する。
【００１４】
遊技盤３の面上には、その中央部に役物装置６が設けられ、その役物装置６内の中央に液晶式の特別図柄表示部７が配設されている。特別図柄表示部７ではアラビア数字等のキャラクタが３つ（複数桁）表示されるようになっている。役物装置６の下方には、特別始動可変入賞口９が設けられている。役物装置６の左方には普図始動入賞口１０が設けられている。特別始動可変入賞口９の下方には、複数の大入賞口（本発明におけるパチンコ遊技機用入賞装置）、この例では２つの大入賞口が上下に２段、それらが一体的に設けられている。すなわち、当該パチンコ遊技機１にて第１大当たりが発生したときに開放するアタッカーである第１大入賞口１１と、この第１大入賞口１１の直ぐ下に、当該パチンコ遊技機１にて第２大当たりが発生したときに開放するアタッカーである第２大入賞口１２とが一体的に設けられている。これら第１,第２大入賞口１１,１２の下方には玉を回収するためのアウト口１３が設けられている。
【００１５】
特別始動可変入賞口９は、いわゆる普通電動役物であり、入賞口の両側に可動部材１４,１４が可動可能に設けられ、動作時に左右に開くように可変式の入賞口として構成されている。すなわち、非動作時には図１に示すように閉鎖した第１状態を呈し、動作時には開放した第２状態を呈するものである。
【００１６】
次に、図２に示すのは、パチンコ遊技機１の遊技制御装置２０の構成を示すブロック図である。遊技制御装置２０は、メイン基板２１、このメイン基板２１に搭載されたＣＰＵ２２、ＲＯＭ２３、ＲＡＭ２４、入出力回路（Ｉ／Ｏ）２５、ＣＰＵ２２からの制御信号の出力が接続される表示制御基板２６、音声制御基板２７、ランプ制御基板２８、払出制御基板２９、発射制御基板３０、この遊技制御装置２０に電源を供給する電源回路３１を含み構成される。パチンコ遊技機１は、ＲＯＭ２３に格納されたパチンコ遊技機１の全体を制御する制御プログラム５１、図柄変動処理プログラム５２、第１大当たり処理プログラム５３及び第２大当たり処理プログラム５４によって制御される。
【００１７】
玉の通過を検知したとき検知信号を出力する検知スイッチとして、特別始動可変入賞検出器３３、普図始動入賞検出器３４、第１大入賞検出器３５、第２大入賞検出器３６が入出力回路（Ｉ／Ｏ）２５を介してＣＰＵ２２に接続されている。特別始動可変入賞口開放用ソレノイド３７、第１大入賞口開放用ソレノイド３８、第２大入賞口開放用ソレノイド３９が入出力回路（Ｉ／Ｏ）２５を介してＣＰＵ２２に接続されている。ＣＰＵ２２からの制御信号により特別始動可変入賞口開放用ソレノイド３７が駆動され、可動部材１４,１４の開閉が制御される。また、ＣＰＵ２２からの制御信号により第１大入賞口開放用ソレノイド３８が駆動され、第１大入賞口１１の開閉が制御されるとともに、第２大入賞口開放用ソレノイド３９が駆動され、第２大入賞口１２の開閉が制御される。
【００１８】
表示制御基板２６にはＣＰＵ２２からの制御信号が入力され、該制御信号に応じて特別図柄表示部７の表示が制御される。また、音声制御基板２７では音声信号を作成し、音声信号が増幅されスピーカ４１から音声が出力される。ランプ制御基板２８にはＣＰＵ２２からの制御信号が入力され制御信号に応じて装飾ランプ等のランプ類４２が制御される。また、払出制御基板２９では制御信号に応じて賞球や貸球の払出装置４３を制御する。発射制御基板３０では同様に玉の発射装置４４を制御する。
【００１９】
図３は第１大入賞口１１及び第２大入賞口１２の説明図である。図３（ａ）は正面図、図３（ｂ）は図３（ａ）のＡ−Ａ断面図、図３（ｃ）は図３（ａ）のＢ−Ｂ断面図である。図４は第１大当たり発生時の動作例を示す図、図５は第２大当たり発生時の動作例を示す図である。また、図６は第１大入賞口１１及び第２大入賞口１２の分解斜視図（台の裏側からみた分解斜視図）、図７は第１大入賞口１１の閉鎖状態と開放状態の説明図（台の裏側からみた説明図）である。
【００２０】
第１大入賞口１１と第２大入賞口１２とは、それぞれ閉鎖状態と開放状態とを呈する可変入賞口であり、それらが遊技盤３面上に縦に配列されている。上側の第１大入賞口１１の直ぐ下に下側の第２大入賞口１２が配置され、それらが上下に一体的に形成されている。すなわち上下２段にそれぞれ正面が開口し箱形状をなした玉の誘導路である上側誘導部７１と下側誘導部８１とを有する誘導部７０が遊技盤３を貫通して嵌め込まれた形態に設けられている。そして、その上側誘導部７１に第１大入賞口１１が配設されるとともに、下側誘導部８１に第２大入賞口１２が配設されている。本実施例では、パチンコ遊技機１において、所定の大当たり条件（開放条件）が成立したときに、第１大入賞口１１、第２大入賞口１２のうちのいずれか１つが開放されるように開放制御される。
【００２１】
第１大入賞口１１は、その上側誘導部７１の正面開口を塞ぐように板状をなし、下部を軸にして回動可能に設けられた上側開放扉７２を備える。上側開放扉７２は、下部が上側誘導部７１の開口端部に軸支され、その閉鎖状態のときに上側誘導部７１の正面開口を塞ぐようにしている。上側開放扉７２の扉面がその閉じた状態のときに、遊技盤３の盤面上に位置するようになっている。上側開放扉７２が、下部を軸にして前後方向（パチンコ遊技機１のガラス扉２側を前方側、台の裏側にあたる側を後方側としたときの前後方向）に開放状態のときに、上部に玉を受入可能な開口部７３（上側入賞口）が形成される（図４参照）。
【００２２】
図６に示すように、上側開放扉７２の閉鎖状態にあるときの前面に位置し、中央に方形状の開口部７５（玉通過口）を有する方形枠状の可動枠７６（補助部材）が設けられている。可動枠７６の後面側下部には左右両側に後方に突出して枢軸７７ｏ,７７ｏを有する枢軸部７７ａ,７７ｂが形成されている。上側開放扉７２の後面側下部には左右両側に、可動枠７６の枢軸７７ｏ,７７ｏが嵌合する軸受孔７８ｈ,７８ｈを有する軸受部７８ａ,７８ｂが形成されている。枢軸７７ｏ,７７ｏが軸受孔７８ｈ,７８ｈ嵌合した状態で、可動枠７６及び上側開放扉７２が上側誘導部７１に回動可能に取付けられている。
【００２３】
可動枠７６の後面側には段差部７９が形成され、この段差部７９に上側開放扉７２が収容される形態としている。そして、可動枠７６の枢軸部の一方、この例では前面側からみて、左側の枢軸部７７ｂが後方には延出した形状とし、その先端の作動部７７ｃに弾性部材としてスプリング８０が取付けられている。このスプリング８０の他端はパチンコ遊技機１の本体に固定されている。
【００２４】
上側開放扉７２の軸受部の一方、この例では前面側からみて、右側の軸受部７８ａが後方には延出した形状とし、その先端に作動部７８ｃが形成されている。この作動部７８ｃに第１大入賞口開放用ソレノイド３８の作動部３８ａが作用するように配置されている。第１大入賞口開放用ソレノイド３８が非駆動時には、スプリング８０の付勢力で、可動枠７６が上側開放扉７２を収容した形態で、その上側開放扉７２が開口部７３（上側入賞口）を閉鎖するようにしている（図７（ａ）参照）。第１大入賞口開放用ソレノイド３８が駆動時には、スプリング８０の付勢力に抗して上側開放扉７２が開放する。上側開放扉７２が枢軸７７ｏ,７７ｏを中心にして回動したとき、この上側開放扉７２に押されてその前面に設けられた可動枠７６もあわせて回動する（図７（ｂ）参照）。上側開放扉７２の後方には、第１大入賞口１１に入賞した玉を台の後方に誘導する流通路７４が形成され、その流通路７４の所定箇所に、第１大入賞口１１への入賞を検出する第１大入賞検出器３５が設けられている（図３参照）。
【００２５】
第２大入賞口１２は、その下側誘導部８１の正面開口を塞ぐように板状をなし、下部を軸にして回動可能に設けられた下側開放扉８２を備える。下側開放扉８２は、下部が下側誘導部８１の開口端部に軸支され、その閉鎖状態のときに下側誘導部８１の正面開口を塞ぐようにしている。下側開放扉８２の扉面がその閉じた状態のときに、遊技盤３の盤面上に位置するようになっている。下側開放扉８２が、下部を軸にして前後方向に開放状態のときに、上部に玉を受入可能な開口部８３（下側入賞口）が形成される（図５参照）。
【００２６】
図６に示すように、下側開放扉８２には、その後面側の両側に開口部８３（下側入賞口）への遊技盤３上の横方向からの玉の入賞を阻止する阻止部材として上部後方が丸い円弧状をなす側壁部８５ａ,８５ｂが形成されている。その側壁部８５ａ,８５ｂの下部外側に突出して枢軸８５ｏ,８５ｏがそれぞれ形成され、下側誘導部８１に設けられた軸受部にその枢軸８５ｏ,８５ｏが嵌合した形態で、下側開放扉８２が下側誘導部８１に回動可能に取付けられている。
【００２７】
そして、側壁部の一方、この例では前面側からみて、右側の側壁部８５ａの下部に、枢軸８５ｏよりさらに後方に位置し、外側に突出する作動部８５ｃが形成されている。この作動部８５ｃに第２大入賞口開放用ソレノイド３９の作動部３９ａが作用するように配置されている。第２大入賞口開放用ソレノイド３９が非駆動時には、その下側開放扉８２が開口部８３（下側入賞口）を閉鎖するようにしている。第２大入賞口開放用ソレノイド３９が駆動時には、下側開放扉８２が開放する。下側開放扉８２の開放動作に連動して可動枠７６を回動するように可動枠７６と下側開放扉８２とを連結する連結部材８６（例えば連結紐）を設けている。
【００２８】
すなわち、下側開放扉８２が枢軸８５ｏ,８５ｏを中心にして回動したときに、連結部材８６を引張ってスプリング８０の付勢力に抗して可動枠７６を上側開放扉７２の前面の起立位置から上側開放扉７２の開放状態に相当する位置まで回動し、図５に示すように、可動枠７６に形成された、遊技盤３上を落下する玉の通過を可能とする開口部７５の下方に下側開放扉８２が開放した状態となる。
【００２９】
この下側開放扉８２が開放したときに、遊技盤３上に側壁部８５ａ,８５ｂが出現状態となって、その側壁部８５ａ,８５ｂによって開口部８３（下側入賞口）への横方向からの玉の入賞を阻止するとともに、遊技盤３上を落下しその可動枠７６の開口部７５を通過して縦方向に流れる玉の開口部８３（下側入賞口）への入賞を許容するようにしている。下側開放扉８２の後方には、第２大入賞口１２に入賞した玉を台の後方に誘導する流通路８４が形成され、その流通路８４の所定箇所に、第２大入賞口１２への入賞を検出する第２大入賞検出器３６が設けられている（図３参照）。
【００３０】
本実施例では、上記のように上下２段に第１大入賞口１１と第２大入賞口１２とが配列され、上側開放扉７２の前面に設けられた可動枠７６が、上側開放扉７２または下側開放扉８２が開放したときにあわせて上側開放扉７２の前面の起立状態と上側開放扉７２の開放状態に相当する位置との間で回動するようにしており、上側開放扉７２が開放したときに開口部７３（上側入賞口）に玉の入賞が可能となるとともに、下側開放扉８２が開放したときに開口部８３（下側入賞口）への横方向からの玉の入賞が側壁部８５ａ,８５ｂによって阻止され、可動枠７６の開口部７５を通過して縦方向に流れる玉の入賞が可能となるようにしている。
【００３１】
従って、上側開放扉７２の開放時には、遊技盤３上を落下する玉がその上側開放扉７２の扉面に当たって上側入賞口に入り、その上側開放扉７２の扉面が第１大入賞口１１の入賞可能範囲となる一方、下側開放扉８２の開放時には、上側開放扉７２を収容する可動枠７６の範囲、具体的には下側開放扉８２の開放時に連動して回動する可動枠７６の開口部７５を流下する玉だけが下方の下側開放扉８２に当たって下側入賞口に入り、その可動枠７６の開口部７５が第２大入賞口１２の入賞可能範囲となる。可動枠７６の開口部７５の開口面積は上側開放扉７２の扉面積以下とするのが望ましい。この例では、可動枠７６の開口部７５の開口面積は上側開放扉７２の扉面積よりも小としている。これにより、上方の第１大入賞口１１に入賞可能な遊技盤３上の所定範囲を流下する玉だけが下方の第２大入賞口１２に入賞可能となることから、大入賞口が２つあるにも関わらず、釘による上下各大入賞口への玉の寄り具合は一致することになり、釘調整が非常に行い易い。
【００３２】
図８は役物装置６の構成を示す図であり、図８（ａ）は正面図、図８（ｂ）は斜視図である。役物装置６は、前面が開口し前後方向に延びた箱形状形態をなした一つのハウジング（筐体）で構成され、遊技盤３に取付けられている。役物装置６は、中央が高い山形状に形成された上面壁６ａと、その上面壁６ａ下端から垂直に下方に延びた側面壁６ｂ,６ｂとを有している。左右側面壁６ｂ,６ｂには、役物装置６内に玉を受入可能な玉受入口６１,６１がそれぞれ設けられている。そして、この玉受入口６１,６１に連通して、役物装置６内の後方に玉を導く誘導樋６２,６２が、それぞれ側面壁６ｂ,６ｂの内側に取付けられている。
【００３３】
役物装置６の下部には、波形状をなしたステージ面６３が設けられている。このステージ面６３は、後方から前方に向かって、前方が低い３段のステージ面６３ａ,６３ｂ,６３ｃを有する。それらステージ面６３ａ,６３ｂ,６３ｃはその波形状が互い違いに重ならないように形成され配置されている。各ステージ面６３ａ,６３ｂ,６３ｃは前方側（ガラス扉２側）が低くなるように少し傾斜している。これにより、玉受入口６１,６１から役物装置６に入った玉は、誘導樋６２,６２を通って、ステージ面６３ａ上に落下し、そこから前方にステージ面６３ｂ,６３ｃを通って、玉の速度が遅くなって、役物装置６の下部から役物装置６の外に排出される。最も低いステージ面６３ｃの中央には波形の谷部が形成され、その下方に特別始動可変入賞口９が配置されている。従って、ステージ面６３ｃの中央の波形の谷部から落下する玉は特別始動可変入賞口９に入り易いといえる。
【００３４】
次に、具体的な制御手順について、フローチャートを参照しつつ説明する。ＲＯＭ２３に格納された図柄変動処理プログラム５２について、図９に示すフローチャートにより説明する。なお、ＲＯＭ２３に格納された制御プログラム５１は、パチンコ遊技機１の全体の制御を司るもので、パチンコ遊技機１への電源投入後に、割込みモードの設定やＲＡＭチェック等の初期化処理、初期化処理の終了後に特別始動可変入賞口９等への入賞検出処理、大当たり抽選処理、図柄変動処理、大当たり処理などを実行する周知の内容であるため説明を省略する。
【００３５】
次に、始動入賞口への入賞に伴い実行される大当たり抽選について説明する。特別始動可変入賞口９に付設された特別始動可変入賞検出器３３により玉の入賞を検知すると、入賞検知信号がＣＰＵ２２に伝送される。ＣＰＵ２２に特別始動可変入賞検出器３３からの入賞検知信号が入力されたタイミングに応じて、ＣＰＵ２２が大当たり判定用カウンタから乱数値（カウンタ値）を取得し、その乱数値が大当たり乱数に一致するか否かを判定することにより大当たりの抽選を行っている。抽選処理で乱数値が大当たり乱数である場合、大当たり条件成立となる。ＣＰＵ２２は当否抽選手段として機能する。
【００３６】
ＣＰＵ２２はこの大当たり抽選処理の結果を受けて、役物装置６の特別図柄表示部７に導出表示させるべき図柄を決定する。その決定に基づく表示制御信号がＣＰＵ２２から表示制御基板２６に出力される。本実施例では、大当たり図柄で停止する確率（大当たり確率）は、通常状態では１／３９５、確変状態では１／５０と設定されている。確変状態では、大当たり確率が高められた設定となっている。
【００３７】
なお、大当たり抽選結果は、ＲＡＭ２４に割り当てられた保留玉記憶領域に一時的に記憶される。ＣＰＵ２２は、役物装置６の特別図柄表示部７において新たな図柄変動動作を行うことができるかどうかを確認してから、抽選結果を読み出し、図柄変動動作を開始する。先の大当たり抽選処理に係る図柄変動動作が行われている場合、大当たり抽選処理の結果を含む抽選データは、４個を上限として保留玉記憶領域に記憶される。
【００３８】
特別始動可変入賞口９の開放について説明する。特別始動可変入賞口９は普図抽選により当たりとなった場合に開放する。普図始動入賞口１０に付設された普図始動入賞検出器３４により玉の入賞を検知すると、入賞検知信号がＣＰＵ２２に伝送される。ＣＰＵ２２に普図始動入賞検出器３４からの入賞検知信号が入力されたタイミングに応じて、ＣＰＵ２２が判定用カウンタから乱数値（カウンタ値）を取得し、その乱数値が当たり乱数に一致するか否かを判定することにより普図抽選を行っている。普図抽選結果は、特別図柄表示部７の近傍などの所定箇所に表示される。普図抽選において当たりとなると、確変状態が発生していない通常状態においては特別始動可変入賞口９を０．２秒開放する一方、確変状態においては特別始動可変入賞口９を５秒開放する。ＣＰＵ２２からの制御信号により特別始動可変入賞口開放用ソレノイド３７が駆動され、可動部材１４,１４が開放状態となり、玉の入賞率が高まるとともに、上記開放時間経過後、閉鎖状態となり、開放状態と比べて入賞率が低くなる。
【００３９】
特別始動可変入賞口９への入賞があり、大当たり抽選が実行され、その抽選結果に応じて、特別図柄表示部７にて図柄を変動表示した後、停止表示する。図９の図柄変動処理において、停止図柄が予め定められた大当たり図柄であるか否かを判定し（Ｓ１）、大当たり図柄でない場合、リターンする一方、大当たり図柄である場合、その大当たり図柄が普通大当たり図柄であるか否かを判定する（Ｓ２）。本実施例では、大当たり図柄として、普通大当たり図柄と確変大当たり図柄とが設定されている。そして、普通大当たり図柄である確率は４／１０、確変大当たり図柄である確率は６／１０と設定されている。
【００４０】
Ｓ２において、普通大当たり図柄である場合、第１大当たりフラグをオンにし（Ｓ３）、一方普通大当たり図柄でない場合（言い換えれば確変大当たり図柄である場合）、第２大当たりフラグをオンにする（Ｓ４）。
【００４１】
次に、ＲＯＭ２３に格納された第１大当たり処理プログラム５３について、図１０に示すフローチャートにより説明する。本実施例では、第１大当たりが発生すると、第１大入賞口１１の開閉処理が行われる。第１大当たりフラグがオンであるか否かを判定し（Ｓ１１）、第１大当たりフラグがオンでない場合、リターンする一方、第１大当たりフラグがオンである場合、ラウンド数が１５に達したか否かを判定する（Ｓ１２）。第１大入賞口開放用ソレノイド３８が駆動され、第１大入賞口１１（上側開放扉７２）を閉鎖状態から開放状態とする。上側開放扉７２の開放により、あわせて可動枠７６もスプリング８０の付勢力に抗して回動した状態となる（図４参照）。なお、このとき可動枠７６と下側開放扉８２とを連結する連結部材８６は撓んだ状態にある。
【００４２】
この例では、その第１大入賞口１１への最大入賞個数である９個の入賞を検知するか、或いはその第１大入賞口１１の最大開放時間である２５秒間を経過するか、のいずれか早い方が成立するまでを１ラウンドとし、一旦第１大入賞口１１を閉鎖し、１５ラウンド終了するまでこの開閉処理を繰り返すようにしている。
【００４３】
Ｓ１２においてラウンド数が１５に達していない場合、ラウンド数を「１」インクリメントする（Ｓ１３）。ラウンド数はＣＰＵ２２にてカウントされる。続いて第１大入賞口１１を開放し（Ｓ１４）、その後第１大入賞口１１へ９個の玉の入賞が検知されたか否かを判定する（Ｓ１５）。ここで９個の入賞が検知された場合、第１大入賞口１１を閉鎖する（Ｓ１７）一方、９個の入賞が検知されない場合、第１大入賞口１１の開放時間が２５秒経過したか否かを判定する（Ｓ１６）。ここで第１大入賞口１１の開放時間が２５秒経過した場合、第１大入賞口１１を閉鎖する（Ｓ１７）。Ｓ１２においてラウンド数が１５に達した場合、第１大当たりフラグをオフにする（Ｓ１８）。１５ラウンド終了した時点で第１大当たりは終了し、通常状態に戻る。
【００４４】
次に、ＲＯＭ２３に格納された第２大当たり処理プログラム５４について、図１１に示すフローチャートにより説明する。本実施例では、第２大当たりが発生すると、第２大入賞口１２の開閉処理が行われる。第２大当たりフラグがオンであるか否かを判定し（Ｓ２１）、第２大当たりフラグがオンでない場合、リターンする一方、第２大当たりフラグがオンである場合、ラウンド数が１６に達したか否かを判定する（Ｓ２２）。第２大入賞口開放用ソレノイド３９が駆動され、第２大入賞口１２（下側開放扉８２）を閉鎖状態から開放状態とする。下側開放扉８２の開放により、連結部材８６を引張って可動枠７６もスプリング８０の付勢力に抗して回動した状態となる（図５参照）。
【００４５】
この例では、その第２大入賞口１２への最大入賞個数である１０個の入賞を検知するか、或いはその第２大入賞口１２の最大開放時間である２５秒間を経過するか、のいずれか早い方が成立するまでを１ラウンドとし、一旦第２大入賞口１２を閉鎖し、１６ラウンド終了するまでこの開閉処理を繰り返すようにしている。この例では、第２大当たりは第１大当たりよりも遊技者にとって有利な設定となっている。
【００４６】
Ｓ２２においてラウンド数が１６に達していない場合、ラウンド数を「１」インクリメントする（Ｓ２３）。続いて第２大入賞口１２を開放し（Ｓ２４）、その後第２大入賞口１２へ１０個の玉の入賞が検知されたか否かを判定する（Ｓ２５）。ここで１０個の入賞が検知された場合、第２大入賞口１２を閉鎖する（Ｓ２７）一方、１０個の入賞が検知されない場合、第２大入賞口１２の開放時間が２５秒経過したか否かを判定する（Ｓ２６）。ここで第２大入賞口１２の開放時間が２５秒経過した場合、第２大入賞口１２を閉鎖する（Ｓ２７）。Ｓ２２においてラウンド数が１６に達した場合、第２大当たりフラグをオフにする（Ｓ２８）。１６ラウンド終了した時点で第２大当たりは終了する。ＣＰＵ２２は大当たり状態発生手段として機能する。そして、第２大当たりの場合（確変大当たりの場合）、その大当たり終了後遊技者に有利な確変状態（特別遊技状態）などを発生させる。ＣＰＵ２２は特別遊技状態発生手段として機能する。
【００４７】
このように上下２段に第１大入賞口１１と第２大入賞口１２とが配列され、上側開放扉７２の開放したときに開口部７３（上側入賞口）に玉の入賞が可能となるとともに、下側開放扉８２が開放したときに開口部８３（下側入賞口）への横方向からの玉の入賞が側壁部８５ａ,８５ｂによって阻止され、可動枠７６の開口部７５を通過して縦方向に流れる玉の入賞が可能となるようにしている。
【００４８】
従って、上方の第１大入賞口１１に入賞可能な遊技盤３上の所定範囲（上側開放扉７２が開放時のその上側開放扉７２の扉面の範囲、言い換えればその上側開放扉７２の前面にその上側開放扉７２を収容する可動枠７６の範囲、具体的には下側開放扉８２が開放時の可動枠７６の開口部７５）を流下する玉だけが下方の第２大入賞口１２に入賞可能となることから、大入賞口が２つあるにも関わらず、釘による上下各大入賞口への玉の寄り具合は一致することになり、遊技店側において釘調整が非常に容易となる。また、所定の大当たり条件の成立により第１大入賞口１１、第２大入賞口１２のいずれか１つが開放されるようにでき、大入賞口をこのように構成することにより、従来の市場の多くを占めている大入賞口が１つのパチンコ遊技機の釘調整と比べても違和感がなく同等に作業が可能である。
【００４９】
また、下側開放扉８２に設けた側壁部８５ａ,８５ｂにより横方向からの玉の入賞を阻止する阻止部材を構成しており、下側開放扉８２の開放時にのみ遊技盤３上に出現するようにでき、遊技盤３上のレイアウトもスッキリできる。さらに、上下２段に箱形状をなし、上側誘導部７１と下側誘導部８１とを有する誘導部７０が設けられ、その上側誘導部７１に第１大入賞口１１を配設するとともに、下側誘導部８１に第２大入賞口１２を配設して、第１大入賞口１１と第２大入賞口１２とを上下に一体的に形成しており、複数の大入賞口をこのように構成することにより、遊技者へのインパクトを維持しつつ、遊技盤上に複数の大入賞口をより狭い範囲で設けることが可能となり、遊技盤面を有効に利用することができ、かつ釘調整作業が非常に容易なパチンコ遊技機を提供できる。
【００５０】
（変形例）
図１２は、第１大入賞口１１及び第２第入賞口１２の変形例を示す説明図である。図１２（ａ）は正面図、図１２（ｂ）は図１２（ａ）のＣ−Ｃ断面図、図１２（ｃ）は図１２（ａ）のＤ−Ｄ断面図である。図１３は第１大当たり発生時の動作例を示す図、図１４は第２大当たり発生時の動作例を示す図である。また、図１５は、可動枠の変形例を示す説明図（台の裏側からみた説明図）である。この変形例では、可動枠の開口部を実施例よりも小さく形成し、開放状態において受け入れた玉を開口部に集めるように傾斜を設けたものである。なお、変形例において、実施例と同一の機能を有する部分には同一の符号を付して説明を省略する。
【００５１】
第１大入賞口１１と第２大入賞口１２とは、それぞれ閉鎖状態と開放状態とを呈する可変入賞口であり、それらが遊技盤３面上に縦に配列されている。上側の第１大入賞口１１の直ぐ下に、横方向に第１大入賞口１１よりも小さい下側の第２大入賞口１２が配置され、それらが上下に一体的に形成されている。すなわち上下２段にそれぞれ正面が開口し箱形状をなした玉の誘導路である上側誘導部７１と下側誘導部９１とを有する誘導部９０が遊技盤３を貫通して嵌め込まれた形態に設けられている。そして、その上側誘導部７１に第１大入賞口１１が配設されるとともに、下側誘導部９１に第２大入賞口１２が配設されている。
【００５２】
第１大入賞口１１には、図１２に示すように、上側開放扉７２の閉鎖状態にあるときの前面に位置し、中央に方形状の開口部８７（玉通過口）を有する可動枠８８（補助部材）が設けられている。この開口部８７が実施例よりも小さく形成される。また、この可動枠８８には、開放状態に相当する位置（横向き状態）において、可動枠８８上に落下してきた玉が開口部８７に集まるように傾斜部８９が形成されている（図１５参照）。また、可動枠８８の後面側には傾斜部８９により段差（収容空間）が形成され、この段差に上側開放扉７２が収容される形態としている。
【００５３】
第２大入賞口１２は、横方向に第１大入賞口１１よりも小さく形成され、可動枠８８の開口部８７に対応する位置に配置されている（この例では中央に配置されている）。また、第２大入賞口１２は、下側誘導部９１の正面開口を塞ぐように板状をなし、下部を軸にして回動可能に設けられた下側開放扉９２を備える。下側開放扉９２は、下部が下側誘導部９１の開口端部に軸支され、その閉鎖状態のときに下側誘導部９１の正面開口を塞ぐようにしている。下側開放扉９２の扉面がその閉じた状態のときに、遊技盤３の盤面上に位置するようになっている。下側開放扉９２が、下部を軸にして前後方向に開放状態のときに、上部に玉を受入可能な開口部９３（下側入賞口）が形成される（図１４参照）。
【００５４】
また、可動枠８８は、下側開放扉９２が起立状態から開放状態へと回動すると、連結部材８６によってスプリング８０の付勢力に抗して上側開放扉７２の前面の起立位置から上側開放扉７２の開放状態に相当する位置まで回動する。図１４に示すように、可動枠８８に形成された、遊技盤３上を落下する玉の通過を可能とする開口部８７の下方に下側開放扉９２が開放した状態となる。
【００５５】
このように、可動枠８８の内側に傾斜部８９を設け、その傾斜部８９によって開放状態において受け入れた玉を中央に集めることにより開口部８７を小さく形成することができる。その場合に、可動枠８８の開口部８７に集まった玉は第２大入賞口１２にむかって落下し、第２大入賞口１２に入賞する。第２大入賞口１２には、可動枠８８により、開口部８７に寄った玉が落下してくるので、第２大入賞口１２は小さくすることができる。
【００５６】
第２大入賞口１２を可動枠８８よりも小さくすることで、可動枠８８が第２大入賞口１２への横方向からの玉の入賞を阻止することができるので、実施例の第２大入賞口１２に設けた側壁部を省略することができる。そして、この第２大入賞口１２が開放したときに入賞する玉は、第１大入賞口１１が開放したときに、第１大入賞口１１へ入賞可能となる範囲を通過した玉と等しくなることから、この変形例の入賞装置をもってしても、本発明の目的を達成することが可能となる。
【００５７】
従って、可動枠の開口部の大きさを変更し、小さくすることによって下側大入賞口を小さくでき、上側大入賞口と差をつけ、第１大当たりと第２大当たり遊技の態様を変化させて面白味を加えることができる。また、遊技者へのインパクトを維持しつつ、遊技盤上に複数の大入賞口をより狭い範囲で設けることが可能となるため、遊技盤上のレイアウトもスッキリすることができ、遊技盤面を有効に利用することができる。さらに、従来の市場の多くを占めている大入賞口が１つのパチンコ遊技機の釘調整と比べても違和感がなく同等に作業が可能であるパチンコ遊技機を提供できる。
【００５８】
また、実施例に次のような変形を加えてもよい。
開口部８３（下側入賞口）への横方向からの入賞を阻止する阻止部材として、下側開放扉８２に側壁部８５ａ,８５ｂを設けた構成としたが、これに限定されるものではない。例えば下側開放扉８２が開放したときの位置に対応し、下側開放扉８２の両横の遊技盤３上に釘を設けて横方向からの入賞を阻止するようにしてもよい。
【図面の簡単な説明】
【００５９】
【図１】本発明のパチンコ遊技機の正面模式図。
【図２】パチンコ遊技機の電気的構成を示すブロック図。
【図３】第１大入賞口及び第２大入賞口の説明図。
【図４】図３の第１大当たりの動作例を示す図。
【図５】図３の第２大当たりの動作例を示す図。
【図６】第１大入賞口及び第２大入賞口の分解斜視図。
【図７】第１大入賞口の閉鎖状態と開放状態の説明図。
【図８】役物装置の説明図。
【図９】図柄変動処理のフローチャート。
【図１０】第１大当たり処理のフローチャート。
【図１１】第２大当たり処理のフローチャート。
【図１２】第１大入賞口及び第２大入賞口の変形例を示す説明図。
【図１３】図１２の第１大当たりの動作例を示す図。
【図１４】図１２の第２大当たりの動作例を示す図。
【図１５】変形例における可動枠の説明図。
【符号の説明】
【００６０】
１    パチンコ遊技機
１１  第１大入賞口
１２  第２大入賞口
７２  上側開放扉
７３  開口部（上側入賞口）
７５,８７  開口部（玉通過口）
７６,８８  可動枠（補助部材）
８２,９２  下側開放扉
８３,９３  開口部（下側入賞口）
８５ａ,８５ｂ  側壁部（阻止部材）
８６  連結部材
【図１】
2006325764.tif 000003
【図２】
2006325764.tif 000004
【図３】
2006325764.tif 000005
【図４】
2006325764.tif 000006
【図５】
2006325764.tif 000007
【図６】
2006325764.tif 000008
【図７】
2006325764.tif 000009
【図８】
2006325764.tif 000010
【図９】
2006325764.tif 000011
【図１０】
2006325764.tif 000012
【図１１】
2006325764.tif 000013
【図１２】
2006325764.tif 000014
【図１３】
2006325764.tif 000015
【図１４】
2006325764.tif 000016
【図１５】
2006325764.tif 000017